(57)【特許請求の範囲】
【請求項１】
少なくとも第１試薬と第２試薬とを組み合わせて用いて所定の測定項目の分析を行う試料分析装置であって、
前記第１試薬が収容され、情報が読み書きされる第１記憶媒体を備える第１試薬容器、および、前記第２試薬が収容され、情報が読み書きされる第２記憶媒体を備える第２試薬容器を保持可能な試薬容器保持部と、
前記第１および第２記憶媒体と通信可能な通信部と、
前記通信部を介して前記第１および第２記憶媒体に情報を読み書き可能な制御部と、を備え、
前記制御部は、前記第１試薬容器とペアになる前記第２試薬容器を特定する特定情報を、前記通信部を介して、当該第１試薬容器の前記第１記憶媒体に書き込む、
ことを特徴とする試料分析装置。
【請求項２】
請求項１に記載の試料分析装置において、
前記第１記憶媒体は、前記第１試薬を管理するための第１試薬管理情報を記憶し、
前記第２記憶媒体は、前記第２試薬を管理するための第２試薬管理情報を記憶し、
前記制御部は、前記通信部を介して前記第２記憶媒体から前記第２試薬管理情報を取得するとともに、取得した前記第２試薬管理情報に含まれる情報を、前記特定情報として、前記通信部を介して前記第１記憶媒体に書き込む、
ことを特徴とする試料分析装置。
【請求項３】
請求項２に記載の試料分析装置において、
前記第１および第２試薬管理情報は、測定項目情報とロット番号を少なくとも含み、
前記制御部は、前記通信部を介して前記第１および第２記憶媒体から取得した前記測定項目情報が同一であるとき、前記通信部を介して、前記特定情報を前記第１記憶媒体に書き込む、
ことを特徴とする試料分析装置。
【請求項４】
請求項３に記載の試料分析装置において、
前記第１および第２試薬管理情報は、試薬に付されたシリアル番号を含み、
前記制御部は、前記特定情報として、前記第２記憶媒体に記憶された前記シリアル番号
を、前記通信部を介して前記第１記憶媒体に書き込む、
ことを特徴とする試料分析装置。
【請求項５】
請求項２ないし４の何れか一項に記載の試料分析装置において、
前記制御部は、前記通信部を介して前記第１記憶媒体から取得した前記特定情報と、前記通信部を介して前記第２記憶媒体から取得した前記第２試薬管理情報とに基づいて、前記特定情報を取得した前記第１試薬容器と前記第２試薬管理情報を取得した前記第２試薬容器とがペアになるかを判別する、
ことを特徴とする試料分析装置。
【請求項６】
請求項１に記載の試料分析装置において、
前記第１記憶媒体は、当該第１記憶媒体に固有に付された第１固有情報を記憶し、
前記第２記憶媒体は、当該第２記憶媒体に固有に付された第２固有情報を記憶し、
前記制御部は、前記通信部を介して前記第２記憶媒体から前記第２固有情報を取得するとともに、取得した前記第２固有情報を、前記特定情報として、前記通信部を介して前記第１記憶媒体に書き込む、
ことを特徴とする試料分析装置。
【請求項７】
請求項６に記載の試料分析装置において、
前記制御部は、前記通信部を介して前記第１記憶媒体から取得した前記特定情報と、前記通信部を介して前記第２記憶媒体から取得した前記第２固有情報とが一致するときに、前記特定情報を取得した前記第１試薬容器と前記第２固有情報を取得した前記第２試薬容器とがペアになると判別する、
ことを特徴とする試料分析装置。
【請求項８】
請求項１ないし７の何れか一項に記載の試料分析装置において、
前記通信部は、前記第１および第２記憶媒体と電波を介して無線通信が可能であり、
前記制御部は、前記通信部を介して、無線通信により、第１および第２記憶媒体に対し情報を読み書きする、
ことを特徴とする試料分析装置。
【請求項９】
請求項１ないし８の何れか一項に記載の試料分析装置において、
前記第１および第２記憶媒体は、ＲＦＩＤタグである、
ことを特徴とする試料分析装置。
【請求項１０】
請求項１ないし９の何れか一項に記載の試料分析装置において、
前記制御部は、前記特定情報を、上書き不可の情報として、前記通信部を介して前記第１記憶媒体に書き込む、
ことを特徴とする試料分析装置。
【請求項１１】
第１試薬を収容し、通信部を介して情報が読み書きされる第１記憶媒体を備える第１試薬容器と、第２試薬を収容し、前記通信部を介して情報が読み書きされる第２記憶媒体を備える第２試薬容器とを組み合わせるための試薬管理方法であって、
前記通信部を介して前記第１記憶媒体および前記第２記憶媒体から情報を取得し、
取得した情報に基づいて前記第２試薬容器が前記第１試薬容器とペアになることを判別し、
前記第１記憶媒体に、当該第１試薬容器とペアになる前記第２試薬容器を特定する特定情報を、前記通信部を介して書き込む、
ことを特徴とする試薬管理方法。
【発明の詳細な説明】
【技術分野】
【０００１】
本発明は、少なくとも第１試薬と第２試薬とを組み合わせて用いて所定の測定項目の分析を行う試料分析装置および試薬管理方法に関する。
【背景技術】
【０００２】
従来、第１試薬と第２試薬とを組み合わせて所定の測定項目の分析を行う試料分析装置が知られている（たとえば、特許文献１参照）。
【０００３】
特許文献１に記載の試料分析装置では、第１試薬を収容する第１試薬容器と第２試薬を収容する第２試薬容器にバーコードが貼付されている。バーコードリーダによって読み出された試薬情報に基づいて、制御装置のハードディスクに構築された試薬ＤＢに、第１試薬容器と第２試薬容器の組み合わせが登録される。
【先行技術文献】
【特許文献】
【０００４】
【特許文献１】特開２００８−２７５５８５号公報
【発明の概要】
【発明が解決しようとする課題】
【０００５】
第１試薬容器と第２試薬容器は、試料分析装置から取り出されて別の試料分析装置に架設されるといった運用が行われる場合がある。この場合、第１試薬容器と第２試薬容器のペア情報は、もとの試料分析装置の試薬ＤＢにのみ登録されているため、別の試料分析装置では、第１試薬容器と第２試薬容器が適正に組み合わせられなくなる場合がある。このとき、他の試料分析装置の試薬ＤＢに誤ったペア情報が登録されると、第１試薬容器内の試薬の残量や有効期限と、他の第２試薬容器内の試薬の残量や有効期限とが合わなくなり、本来使用可能な試薬が、試薬容器の試薬の残量や有効期限によって、使用不可となってしまう惧れがある。
【０００６】
本発明は、かかる課題に鑑みてなされたものであり、組み合わせて使用される試薬同士を適正に組み合わせることができる試料分析装置および試薬管理方法を提供することを目的とする。
【課題を解決するための手段】
【０００７】
本発明の第１の態様は、少なくとも第１試薬と第２試薬とを組み合わせて用いて所定の測定項目の分析を行う試料分析装置に関する。本態様に係る試料分析装置は、前記第１試薬が収容され、情報が読み書きされる第１記憶媒体を備える第１試薬容器、および、前記第２試薬が収容され、情報が読み書きされる第２記憶媒体を備える第２試薬容器を保持可能な試薬容器保持部と、前記第１および第２記憶媒体と通信可能な通信部と、前記通信部を介して前記第１および第２記憶媒体に情報を読み書き可能な制御部と、を備える。ここで、前記制御部は、前記第１試薬容器とペアになる前記第２試薬容器を特定する特定情報を、前記通信部を介して、当該第１試薬容器の前記第１記憶媒体に書き込む。
【０００８】
第１の態様に係る試料分析装置によれば、第１記憶媒体には、第１試薬容器とペアになる第２試薬容器を特定する特定情報が書き込まれる。これにより、第１試薬容器と第２試薬容器が別の試料分析装置にセットされた場合でも、第１試薬容器とペアになる第２試薬容器が明確に判断され得る。
【０００９】
また、本態様に係る試料分析装置において、前記第１記憶媒体は、前記第１試薬を管理するための第１試薬管理情報を記憶し、前記第２記憶媒体は、前記第２試薬を管理するための第２試薬管理情報を記憶し、前記制御部は、前記通信部を介して前記第２記憶媒体から前記第２試薬管理情報を取得するとともに、取得した前記第２試薬管理情報に含まれる情報を、前記特定情報として、前記通信部を介して前記第１記憶媒体に書き込むよう構成され得る。
【００１０】
この場合に、前記第１および第２試薬管理情報は、測定項目情報とロット番号を少なくとも含み、前記制御部は、前記通信部を介して前記第１および第２記憶媒体から取得した前記測定項目情報が同一であるとき、前記通信部を介して、前記特定情報を前記第１記憶媒体に書き込むよう構成され得る。
【００１１】
さらに、前記第１および第２試薬管理情報は、試薬に付されたシリアル番号を含み、前記制御部は、前記特定情報として、前記第２記憶媒体に記憶された前記シリアル番号を、前記通信部を介して前記第１記憶媒体に書き込むよう構成され得る。
【００１２】
また、本態様に係る試料分析装置において、前記制御部は、前記通信部を介して前記第１記憶媒体から取得した前記特定情報と、前記通信部を介して前記第２記憶媒体から取得した前記第２試薬管理情報とに基づいて、前記特定情報を取得した前記第１試薬容器と前記第２試薬管理情報を取得した前記第２試薬容器とがペアになるかを判別するよう構成され得る。
【００１３】
また、本態様に係る試料分析装置において、前記第１記憶媒体は、当該第１記憶媒体に固有に付された第１固有情報を記憶し、前記第２記憶媒体は、当該第２記憶媒体に固有に付された第２固有情報を記憶し、前記制御部は、前記通信部を介して前記第２記憶媒体から前記第２固有情報を取得するとともに、取得した前記第２固有情報を、前記特定情報として、前記通信部を介して前記第１記憶媒体に書き込むよう構成されても良い。
【００１４】
この場合に、前記制御部は、前記通信部を介して前記第１記憶媒体から取得した前記特定情報と、前記通信部を介して前記第２記憶媒体から取得した前記第２固有情報とが一致するときに、前記特定情報を取得した前記第１試薬容器と前記第２固有情報を取得した前記第２試薬容器とがペアになると判別するよう構成され得る。
【００１５】
また、本態様に係る試料分析装置において、前記通信部は、前記第１および第２記憶媒体と電波を介して無線通信可能な構成とされ得る。ここで、前記制御部は、前記通信部を介して、無線通信により、第１および第２記憶媒体に対し情報を読み書きする構成とされ得る。
【００１６】
また、本態様に係る試料分析装置において、前記第１および第２記憶媒体は、ＲＦＩＤタグであるよう構成され得る。
【００１７】
また、本態様に係る試料分析装置において、前記制御部は、前記特定情報を、上書き不可の情報として、前記通信部を介して前記第１記憶媒体に書き込む構成とされ得る。こうすると、新規のペア情報がＲＦＩＤタグに上書きされて、新たなペアが作られるおそれがない。
【００１８】
本発明の第２の態様は、第１試薬を収容し、通信部を介して情報が読み書きされる第１記憶媒体を備える第１試薬容器と、第２試薬を収容し、前記通信部を介して情報が読み書きされる第２記憶媒体を備える第２試薬容器とを組み合わせるための試薬管理方法に関する。本態様に係る試薬管理方法は、前記通信部を介して前記第１記憶媒体および前記第２記憶媒体から情報を取得し、取得した情報に基づいて前記第２試薬容器が前記第１試薬容器とペアになることを判別し、前記第１記憶媒体に、当該第１試薬容器とペアになる前記第２試薬容器を特定する特定情報を、前記通信部を介して書き込む。
【００１９】
第２の態様に係る試薬管理方法によれば、上記第１の態様と同様の効果が奏され得る。
【発明の効果】
【００２０】
以上のとおり、本発明によれば、組み合わせて使用される試薬同士を適正に組み合わせることができる試料分析装置および試薬管理方法を提供することができる。
【００２１】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２２】
【図１】実施の形態に係る試料分析装置の全体構成を示す斜視図である。
【図２】実施の形態に係る測定機構部を上側から見た場合の構成を示す平面図である。
【図３】実施の形態に係る試薬設置部からカバー部を除いた場合の斜視図である。
【図４】実施の形態に係る試薬設置部にカバー部が取り付けられている場合の斜視図である。
【図５】実施の形態に係るＲ１試薬容器、Ｒ２試薬容器およびＲ３試薬容器の構成を示す斜視図である。
【図６】実施の形態に係るアンテナの近傍を上側から見た場合の構成を模式的に示す平面図である。
【図７】実施の形態に係るＲＦＩＤタグに記憶されている固有情報および試薬管理情報を示す概念図である。
【図８】実施の形態に係る測定機構部の回路構成を示す図である。
【図９】実施の形態に係る制御装置の回路構成を示す図である。
【図１０】実施の形態に係る制御装置の表示部に表示される試薬の配置状態を示す画面の例示図である。
【図１１】実施の形態に係る内側テーブルおよび外側テーブルの測定準備動作を示すフローチャートである。
【図１２】実施の形態に係るＲＦＩＤタグに記憶されている固有情報および試薬管理情報の変更例を示す概念図である。
【発明を実施するための形態】
【００２３】
本実施の形態は、血液などの検体を用いてＢ型肝炎、Ｃ型肝炎、腫瘍マーカおよび甲状腺ホルモンなど種々の項目の検査を行うための試料分析装置に本発明を適用したものである。
【００２４】
本実施の形態に係る試料分析装置では、測定対象である血液などの検体に含まれる抗原に結合した捕捉抗体（Ｒ１試薬）に磁性粒子（Ｒ２試薬）を結合させた後に、結合（Bound）した抗原、捕捉抗体および磁性粒子を１次ＢＦ（Bound Free）分離部１１（図１およ
び図２参照）の磁石（図示せず）に引き寄せることにより、未反応（Free）の捕捉抗体を含むＲ１試薬を除去する。そして、磁性粒子が結合した抗原と標識抗体（Ｒ３試薬）とを結合させた後に、結合（Bound）した磁性粒子、抗原および標識抗体を２次ＢＦ分離部１
２の磁石（図示せず）に引き寄せることにより、未反応（Free）の標識抗体を含むＲ３試薬を除去する。さらに、分散液（Ｒ４試薬）、および、標識抗体との反応過程で発光する発光基質（Ｒ５試薬）を添加した後、標識抗体と発光基質との反応によって生じる発光量を測定する。このような過程を経て、標識抗体に結合する検体に含まれる抗原を定量的に測定している。
【００２５】
以下、本実施の形態に係る試料分析装置について、図面を参照して説明する。
【００２６】
図１は、試料分析装置１の全体構成を示す斜視図である。
【００２７】
本実施の形態に係る試料分析装置１は、測定機構部２と、測定機構部２に隣接するように配置された検体搬送部（サンプラ）３と、測定機構部２に電気的に接続された制御装置４とを備えている。
【００２８】
検体搬送部３は、検体を収容した複数の試験管が載置されたラックを搬送可能に構成されている。制御装置４は、本体４００（図９参照）と、入力部４１０と、表示部４２０から構成されている。なお、制御装置４には、バーコードを読み取る機能を有したハンディタイプのバーコードリーダ１７（図９参照）が接続されている。
【００２９】
図２は、測定機構部２を上側から見た場合の構成を示す平面図である。
【００３０】
測定機構部２は、検体分注アーム５と、Ｒ１試薬分注アーム６と、Ｒ２試薬分注アーム７と、Ｒ３試薬分注アーム８と、反応部９と、キュベット供給部１０と、１次ＢＦ分離部１１と、２次ＢＦ分離部１２と、ピペットチップ供給部１３と、検出部１４と、Ｒ４／Ｒ５試薬供給部１５と、試薬設置部１６から構成されている。
【００３１】
キュベット供給部１０は、複数のキュベットを収納可能に構成されており、検体分注アーム５による検体吐出位置１ｂにキュベットを１つずつ順次供給する。
【００３２】
Ｒ１試薬分注アーム６には、図示の如く、Ｒ１試薬の吸引および吐出を行うためのピペット６ａが取り付けられている。Ｒ１試薬分注アーム６は、ピペット６ａを用いて、試薬設置部１６に設置されたＲ１試薬を吸引し、吸引したＲ１試薬を検体吐出位置１ｂに載置されたキュベットに分注（吐出）する。
【００３３】
ピペットチップ供給部１３は、投入された複数のピペットチップ（図示せず）を１つずつ検体分注アーム５によるチップ装着位置（図示せず）まで搬送する。しかる後、ピペットチップは、チップ装着位置において、検体分注アーム５のピペット先端に取り付けられる。
【００３４】
検体分注アーム５は、チップ装着位置においてピペットチップを装着した後、検体搬送部３により検体吸引位置１ａに搬送された試験管内の検体を吸引し、Ｒ１試薬分注アーム６によりＲ１試薬が分注された検体吐出位置１ｂのキュベットに検体を分注（吐出）する。かかるキュベットは、Ｒ１試薬分注アーム６の図示しないキャッチャにより、反応部９に移送される。
【００３５】
Ｒ２試薬分注アーム７には、図示の如く、Ｒ２試薬の吸引および吐出を行うためのピペット７ａが取り付けられている。Ｒ２試薬分注アーム７は、ピペット７ａを用いて、試薬設置部１６に設置されたＲ２試薬を吸引し、吸引したＲ２試薬を、Ｒ１試薬および検体を収容するキュベットに分注（吐出）する。
【００３６】
反応部９は、図示の如く、円形形状を有する試薬設置部１６の周囲を取り囲むように円環状に形成されている。また、反応部９は、外形に沿って所定間隔に配置された複数のキュベット設置部９ａを有する。キュベット設置部９ａは、キュベットを挿入可能なように円形形状で凹状に形成されており、キュベット設置部９ａにセットされたキュベットを約４２℃に加温する機能を有している。これにより、キュベットに収容された試料は、反応部９ａにおいて約４２℃に加温され、キュベット内の検体と各種試薬との反応が促進される。また、反応部９は、時計回り方向（矢印Ａ１方向）に回転可能に構成されており、キュベット設置部９ａにセットされたキュベットを、各種処理（試薬の分注など）が行われるそれぞれの処理位置まで移動させる。
【００３７】
検体、Ｒ１試薬およびＲ２試薬を収容するキュベットが、図示しないキャッチャにより反応部９から１次ＢＦ分離部１１に移送されると、１次ＢＦ分離部１１は、キュベット内の試料から未反応のＲ１試薬（不要成分）と磁性粒子とを分離（Ｂ／Ｆ分離）する。
【００３８】
Ｒ３試薬分注アーム８には、図示の如く、Ｒ３試薬の吸引および吐出を行うためのピペット８ａが取り付けられている。Ｒ３試薬分注アーム８は、ピペット８ａを用いて、試薬設置部１６に設置されたＲ３試薬を吸引する。また、Ｒ３試薬分注アーム８は、ピペット８ａを用いて、吸引したＲ３試薬を１次ＢＦ分離部１１から反応部９に移送されたキュベットに分注（吐出）する。
【００３９】
１次ＢＦ分離部１１によるＢ／Ｆ分離後の試料およびＲ３試薬を収容するキュベットが、図示しないキャッチャにより反応部９から２次ＢＦ分離部１２に移送されると、２次ＢＦ分離部１２は、キュベット内の試料から未反応のＲ３試薬（不要成分）と磁性粒子とを分離（Ｂ／Ｆ分離）する。
【００４０】
Ｒ４／Ｒ５試薬供給部１５は、図示しないチューブにより、２次ＢＦ分離部１２によるＢ／Ｆ分離後の試料を収容するキュベットに、Ｒ４試薬およびＲ５試薬を順に分注する。
【００４１】
検出部１４は、所定の処理が行なわれた検体の抗原に結合する標識抗体と発光基質との反応過程で生じる光を、光電子増倍管（Photo Multiplier Tube）で取得することにより
、その検体に含まれる抗原の量を測定する。
【００４２】
試薬設置部１６の上面には、試薬設置部１６および反応部９の両方を覆うように、円形状のカバー部１６１が配置されている。カバー部１６１には、所定の箇所に開口部が設けられており、開口部を介してキュベットの移動やピペットによる分注処理が行われる。
【００４３】
図３は、試薬設置部１６からカバー部１６１を除いた場合の斜視図である。試薬設置部１６は、上側から見て円環状の内側テーブル１６２と外側テーブル１６３を含んでいる。
【００４４】
内側テーブル１６２には、Ｒ１試薬が収容されるＲ１試薬容器１００を保持可能な複数の保持部と、Ｒ３試薬が収容されるＲ３試薬容器１２０を保持可能な複数の保持部が形成されている。かかる保持部により、内側テーブル１６２上の複数のＲ１試薬容器１００は、図示の如く、円周状に配列されたＲ３試薬容器１２０の外側を取り囲むように円環状に保持される。また、内側テーブル１６２上の複数のＲ１試薬容器１００は、後述するように、径方向にＲ３試薬容器１２０と隣接した状態で保持される。
【００４５】
また、内側テーブル１６２は、時計回り方向（矢印Ａ１方向）および反時計回り方向（矢印Ａ２方向）に水平に回転可能に構成されている。具体的には、内側テーブル１６２は、第１ステッピングモータ１６２ａ（図８参照）によって回転されるように構成されている。内側テーブル１６２が回転（回動）されると、Ｒ１試薬容器１００とＲ３試薬容器１２０は、互いに同方向に同角度回転（回動）される。
【００４６】
外側テーブル１６３には、Ｒ２試薬が収容されるＲ２試薬容器１１０を保持可能な複数の保持部が形成されている。かかる保持部により、外側テーブル１６３上のＲ２試薬容器１１０は、図示の如く、円周状に配列されたＲ１試薬容器１００の外側を取り囲むように円環状に保持される。
【００４７】
また、外側テーブル１６３は、時計回り方向（矢印Ａ１方向）および反時計回り方向（矢印Ａ２方向）に水平に回転可能に構成されている。具体的には、外側テーブル１６３は、第２ステッピングモータ１６３ａ（図８参照）によって回転されるように構成されている。また、外側テーブル１６３は、内側テーブル１６２とは独立して回転可能である。また、外側テーブル１６３は、保持するＲ２試薬容器１１０に収容されたＲ２試薬を攪拌しながら回転（回動）する機能を有している。
【００４８】
また、内側テーブル１６２の内側と、外側テーブル１６３の外側には、後述するＲＦＩＤタグに記憶されている固有情報と試薬管理情報を読み書きするためのアンテナ１６２ｂ、１６３ｂ（図８参照）が設置されている。アンテナ１６２ｂ、１６３ｂの配置については、追って図６を参照して説明する。
【００４９】
図４は、試薬設置部１６にカバー部１６１が取り付けられている場合の斜視図である。
【００５０】
カバー部１６１には、図示の如く、Ｒ１〜Ｒ３試薬容器が、外部から内側テーブル１６２または外側テーブル１６３に設置可能となるように入出孔１６１ａが形成されている。また、入出孔１６１ａの真下領域には、鉛直方向に移動可能な載置台１６２ｃ、１６３ｃが設置されている。載置台１６２ｃ、１６３ｃは、カバー部１６１の高さと、内側テーブル１６２と外側テーブル１６３の高さの間で移動可能に構成されている。
【００５１】
このように、入出孔１６１ａと、載置台１６２ｂ、１６３ｂが構成されると、ユーザは、Ｒ１〜Ｒ３試薬容器を、カバー部１６１の上方外側から設置または取出可能となる。すなわち、図示の如くカバー部１６１の高さに位置付けられた載置台１６２ｂ（１６３ｂ）に、Ｒ１試薬容器１００とＲ３試薬容器１２０（Ｒ２試薬１１０）が載置されて、載置台１６２ｂ（１６３ｂ）が下方に移動されると、これら試薬容器が内側テーブル１６２（外側テーブル１６３）にセットされる。また、内側テーブル１６２（外側テーブル１６３）にセットされたＲ１試薬容器１００とＲ３試薬容器１２０（Ｒ２試薬１１０）は、載置台１６２ｂ（１６３ｂ）が上方に移動されると、これら試薬がカバー部１６１の上面外側に移動される。こうして、Ｒ１〜Ｒ３試薬容器の設置または取出が可能となる。
【００５２】
また、カバー部１６１の裏面側には、図示の如く、透過型のセンサの発光部１６４ａ、１６５ａが設置されており、内側テーブル１６２と外側テーブル１６３の下側の試薬設置部１６には、透過型のセンサの受光部１６４ｂ、１６５ｂが設置されている。発光部１６４ａ、１６５ａから出射された光は、それぞれ、受光部１６４ｂ、１６５ｂで受光されるように構成されている。また、内側テーブル１６２と外側テーブル１６３の各保持部には、上下方向に貫通する開口（図示せず）が形成されている。これにより、発光部１６４ａと受光部１６４ｂの間に、後述する嵌合されたＲ１試薬容器１００とＲ３試薬容器１２０を保持するための保持部が位置付けられると、この保持部に、嵌合されたＲ１試薬容器１００とＲ３試薬容器１２０がセットされていることが分かる。また、発光部１６５ａと受光部１６５ｂの間に、Ｒ２試薬容器１１０を保持するための保持部が位置付けられると、この保持部にＲ２試薬容器１１０がセットされていることが分かる。
【００５３】
図５（ａ）、（ｂ）、（ｃ）は、それぞれ、Ｒ１試薬容器１００と、Ｒ２試薬容器１１０と、Ｒ３試薬容器１２０の構成を示す斜視図である。なお、同図では、各試薬容器から、便宜上、蓋部材の図示が省略されている。
【００５４】
同図（ａ）を参照して、Ｒ１試薬容器１００の容器本体１０１は、上側に略円筒形状に形成された円筒部１０２と、下側に試薬を収容する収容部１０３を有している。円筒部１０２の上端部には、円形形状の開口部１０２ａが設けられており、円筒部１０２の側面には、水平方向に延びる一対の切欠溝１０２ｂが左右対称に形成されている。蓋部材（図示せず）は、かかる切欠溝１０２ｂに係合される支持部材（図示せず）を介して、容器本体１０１の円筒部１０２に取り付けられる。
【００５５】
また、切欠溝１０２ｂが設けられた側の収容部１０３の一方の側面には、図示の如く、収容部１０３の上面から下方（矢印Ｚ２方向）に延びる切欠部１０３ａが形成されている。この切欠部１０３ａは、後述するＲ３試薬容器１２０の突出部１２３ａを嵌め込み可能
に構成されている。Ｒ１試薬容器１００の切欠部１０３ａにＲ３試薬容器１２０の突出部１２３ａを嵌め込むことによって、容易に、Ｒ１試薬容器１００とＲ３試薬容器１２０とを所定の間隔を隔てて隣接するように配列させることが可能となる。
【００５６】
また、切欠部１０３ａが形成された側面と反対側の側面には、図示の如く、ＲＦＩＤ（Radio Frequency IDentification）タグ１０４とバーコードラベル１０５が貼付されている。ＲＦＩＤタグ１０４には固有情報と試薬管理情報が書き込まれており、ＲＦＩＤタグ１０４の固有情報と試薬管理情報は、後述するアンテナ１６２ｂによって、電波を介して読み込みと書き込みが行われる。また、バーコードラベル１０５にも試薬管理情報が書き込まれている。バーコードラベル１０５の試薬管理情報は、バーコードリーダ１７によって読み込まれる。なお、固有情報と試薬管理情報については、追って図７を参照して説明する。
【００５７】
同図（ｂ）を参照して、Ｒ２試薬容器１１０の容器本体１１１は、Ｒ１試薬容器１００と略同様の構成となっている。すなわち、収容部１１３には、Ｒ１試薬容器１００と同様の構成のＲＦＩＤタグ１１４と、バーコードラベル１１５が貼付されている。ＲＦＩＤタグ１１４には固有情報と試薬管理情報が書き込まれており、ＲＦＩＤタグ１０５の固有情報と試薬管理情報は、後述するアンテナ１６３ｂによって、電波を介して読み込みと書き込みが行われる。また、バーコードラベル１１５にも試薬管理情報が書き込まれている。バーコードラベル１１５の試薬管理情報は、バーコードリーダ１７によって読み込まれる。なお、収容部１１３には、Ｒ１試薬容器１００の切欠部１０３ａに相当するような切欠部は形成されていない。円筒部１１２には、開口部１１２ａと、一対の切欠溝１１２ｂとが形成されている。
【００５８】
同図（ｃ）を参照して、Ｒ３試薬容器１２０の容器本体１２１は、Ｒ１試薬容器１００と略同様の構成となっている。円筒部１２２には、開口部１２２ａと、一対の切欠溝１２２ｂとが形成されている。切欠溝１２２ｂが設けられた側の収容部１２３の一方の側面には、図示の如く、収容部１２３の上面から下方（矢印Ｚ２方向）に延びる突出部１２３ａが形成されている。この突出部１２３ａは、上述のＲ１試薬容器１００の切欠部１０３ａに嵌め込み可能に構成されている。
【００５９】
ここで、Ｒ１試薬容器１００とＲ３試薬容器１２０は、ユーザにより使用が開始される時から、必ず切欠部１０３ａと突出部１２３ａにより嵌合した状態で、内側テーブル１６２の保持部にセットされる。また、Ｒ１試薬容器１００とＲ３試薬容器１２０は、必ず同じ測定に用いられる。このような使用状況から、Ｒ３試薬容器１２０のみが個別に識別される必要はないため、Ｒ３試薬容器１２０には、ＲＦＩＤタグとバーコードラベルは貼付されていない。この場合、Ｒ１試薬容器１００に貼付されているＲＦＩＤタグとバーコードラベルから読み出される試薬管理情報により、嵌合しているＲ１試薬容器１００とＲ３試薬容器１３０（以下、「Ｒ１／Ｒ３試薬容器」という）が識別される。
【００６０】
図６は、アンテナ１６２ｂ、１６３ｂの近傍を上側から見た場合の構成を模式的に示す平面図である。
【００６１】
図示の如く、アンテナ１６２ｂ、１６３ｂは、それぞれ、内側テーブル１６２の内側と、外側テーブル１６３の外側にあり、試薬設置部１６に設置されている。アンテナ１６２ｂは、内側テーブル１６２上の向かい合う位置（読み書き位置１６２ｄ）に位置付けられたＲ１／Ｒ３試薬容器のＲＦＩＤタグ１０４に対して、試薬管理情報を、電波を介した無線通信により読み書きする。上記のようにＲ１／Ｒ３試薬容器のＲＦＩＤタグは、Ｒ１試薬容器１００に貼付されている。アンテナ１６３ｂは、外側テーブル１６３上の向かい合う位置（読み書き位置１６３ｄ）に位置付けられたＲ１試薬容器１００のＲＦＩＤタグ１
０４に対して、試薬管理情報を、電波を介した無線通信により読み書きする。
【００６２】
なお、ＲＦＩＤタグ１０４、１１４の試薬管理情報が読み取れない場合には、バーコードラベル１０５、１１５が使用される。すなわち、ＲＦＩＤタグ１０４、１１４が破損等によりアンテナ１６２ｂ、１６３ｂによって読み取られない場合、ユーザは、この試薬容器を試薬設置部１６から取り出し、制御部４に接続されたハンディタイプのバーコードリーダ１７によって、バーコード情報を読み取らせる。これにより、ＲＦＩＤタグが読み取れない場合でも、この試薬容器の識別が可能となる。
【００６３】
図７は、ＲＦＩＤタグ１０４、１１４に記憶されている固有情報と試薬管理情報を示す概念図である。
【００６４】
図示の如く、ＲＦＩＤタグ１０４、１１４は、１２８ｂｙｔｅの情報を記憶することができるよう構成されている。記憶容量１２８ｂｙｔｅのうち、固有情報を示すユニークＩＤ領域には１６ｂｙｔｅ、試薬管理情報を示すユーザデータ領域には１１２ｂｙｔｅが割り当てられている。ユニークＩＤ領域は、ＲＦＩＤタグを個別に識別可能なユニークＩＤが記憶される領域であり、読み込みのみが可能である。ユーザデータ領域は、ユーザが自由に情報を書き込みできる領域である。ユーザデータ領域には、読み込みだけを行い書き込みを行わない領域（読み込み専用領域）と、読み込みと書き込みの両方を行う領域（書き込み可能領域）とが設定されている。
【００６５】
読み込み専用領域には、測定項目と、ロット番号と、シリアル番号と、試薬種別と、保存期限と、充填量が記憶されている。書き込み可能領域には、残量と、使用期限と、ペア情報が書き込まれる。また、内側テーブル１６２と外側テーブル１６３に初めて設置される試薬容器に貼付されたＲＦＩＤタグの書き込み可能領域には、情報が書き込まれていない。また、バーコードラベル１０５、１１５には、それぞれ、ＲＦＩＤタグ１０４、１１４に記憶されている読み込み専用領域と同じ情報が記憶されている。
【００６６】
測定項目は、このＲＦＩＤタグが貼付されている試薬容器に収容されている試薬により行われる測定項目を示す。測定項目と、ロット番号と、シリアル番号（以下、「特定情報」という）により、Ｒ１／Ｒ３試薬容器とＲ２試薬容器１１０は一意に識別される。また、シリアル番号は、同一の測定項目と同一のロット番号の範囲内で、一意に試薬容器を識別可能な番号であり、Ｒ１／Ｒ３試薬容器とＲ２試薬容器１１０は、同一の測定項目と同一のロット番号を有しているもの同士が同梱されて、ユーザに提供されている。また、Ｒ１／Ｒ３試薬容器とＲ２試薬容器１１０は、使用の性質上、測定項目とロット番号が同じもの同士がペアとして使用される。
【００６７】
試薬種別は、このＲＦＩＤタグが貼付されている試薬容器が、Ｒ１／Ｒ３試薬容器であるか、Ｒ２試薬容器１１０であるかを示す。保存期限は、この試薬が保存可能な期限を示す。充填量は、この試薬により行うことのできる測定回数を示す。残量は、この試薬により行うことのできる残り測定回数を示す。使用期限は、この試薬が使用可能な期限を示す。使用期限は、この試薬が使用され始めたときに設定される。
【００６８】
ペア情報の項目には、この試薬容器とペアとなる試薬容器の特定情報が書き込まれる。すなわち、初めて内側テーブル１６２に設置されるＲ１／Ｒ３試薬容器のＲＦＩＤタグ１０４のペア情報には、ペアとして使用されるＲ２試薬容器１１０のＲＦＩＤタグ１１４の特定情報が書き込まれる。また、初めて外側テーブル１６３に設置されるＲ２試薬容器のＲＦＩＤタグ１１４のペア情報には、ペアとして使用されるＲ１／Ｒ３試薬容器のＲＦＩＤタグ１０４の特定情報が書き込まれる。
【００６９】
図８は、測定機構部２の回路構成を示す図である。
【００７０】
測定機構部２は、制御部２００と、第１ステッピングモータ１６２ａと、第２ステッピングモータ１６３ａと、アンテナ１６２ｂ、１６３ｂと、発光センサ部２１１と、受光センサ部２１２と、機構部２１３を含んでいる。制御部２００は、ＣＰＵ２０１と、ＲＯＭ２０２と、ＲＡＭ２０３と、通信インターフェース２０４と、Ｉ／Ｏインターフェース２０５とを含んでいる。
【００７１】
ＣＰＵ２０１は、ＲＯＭ２０２に記憶されているコンピュータプログラムおよびＲＡＭ２０３にロードされたコンピュータプログラムを実行する。ＲＡＭ２０３は、ＲＯＭ２０２に記録されているコンピュータプログラムの読み出しに用いられる。また、ＲＡＭ２０３は、これらのコンピュータプログラムを実行するときに、ＣＰＵ２０１の作業領域としても利用される。
【００７２】
通信インターフェース２０４は、検体搬送部３と制御装置４に接続されている。ＣＰＵ２０１は、通信インターフェース２０４を介して、検体の光学的な情報（標識抗体と発光基質との反応によって生じる発光量のデータ）を制御装置４に送信するとともに、制御装置４からの信号を受信する。また、ＣＰＵ２０１は、通信インターフェース２０４を介して、検体搬送部３に対して駆動指示のための信号を送信する。
【００７３】
また、ＣＰＵ２０１は、Ｉ／Ｏインターフェース２０５を介して、第１ステッピングモータ１６２ａと、第２ステッピングモータ１６３ａと、アンテナ１６２ｂ、１６３ｂと、発光センサ部２１１と、受光センサ部２１２と、機構部２１３に接続されている。
【００７４】
第１ステッピングモータ１６２ａと第２ステッピングモータ１６３ａは、ＣＰＵ２０１の制御により、独立して駆動される。アンテナ１６２ｂ、１６３ｂは、ＣＰＵ２０１の制御により、それぞれ、ＲＦＩＤタグ１０４、１１４の試薬管理情報を読み取る。また、アンテナ１６２ｂ、１６３ｂにより読み取られた試薬管理情報は、Ｉ／Ｏインターフェース２０５を介してＣＰＵ２０１に出力され、ＲＡＭ２０３に記憶される。発光センサ部２１１は、発光部１６４ａ、１６５ａを含み、ＣＰＵ２０１の制御により発光される。受光センサ部２１２は、受光部１６４ｂ、１６５ｂを含み、受光センサ部２１１の検出信号は、Ｉ／Ｏインターフェース２０５を介してＣＰＵ２０１に出力される。機構部２１３は、測定機構部２のその他の機構を含んでおり、ＣＰＵ２０１の制御により駆動される。
【００７５】
図９は、制御装置４の回路構成を示す図である。
【００７６】
制御装置４は、パーソナルコンピュータからなり、本体４００と、入力部４１０と、表示部４２０から構成されている。本体４００は、ＣＰＵ４０１と、ＲＯＭ４０２と、ＲＡＭ４０３と、ハードディスク４０４と、読出装置４０５と、入出力インターフェース４０６と、画像出力インターフェース４０７と、通信インターフェース４０８を有する。
【００７７】
ＣＰＵ４０１は、ＲＯＭ４０２に記憶されているコンピュータプログラムおよびＲＡＭ４０３にロードされたコンピュータプログラムを実行する。ＲＡＭ４０３は、ＲＯＭ４０２およびハードディスク４０４に記録されているコンピュータプログラムの読み出しに用いられる。また、ＲＡＭ４０３は、これらのコンピュータプログラムを実行するときに、ＣＰＵ４０１の作業領域としても利用される。
【００７８】
ハードディスク４０４には、オペレーティングシステムおよびアプリケーションプログラムなど、ＣＰＵ４０１に実行させるための種々のコンピュータプログラムおよびコンピュータプログラムの実行に用いるデータがインストールされている。すなわち、ハードデ
ィスク４０４には、ＲＦＩＤタグ１０４、１１４から読み込んだ試薬管理情報に基づいて表示部４２０に表示等を行うプログラムや、ＲＦＩＤタグ１０４、１１４にペア情報を書き込むプログラム等がインストールされている。
【００７９】
読出装置４０５は、ＣＤドライブまたはＤＶＤドライブ等によって構成されており、記録媒体に記録されたコンピュータプログラムおよびデータを読み出すことができる。入出力インターフェース４０６には、マウスやキーボードからなる入力部４１０が接続されており、操作者が入力部４１０を使用することにより、制御装置４にデータが入力される。画像出力インターフェース４０７は、ディスプレイ等で構成された表示部４２０に接続されており、画像データに応じた映像信号を、表示部４２０に出力する。表示部４２０は、入力された映像信号をもとに、画像を表示する。また、通信インターフェース４０８により、測定機構部２とバーコードリーダ１７に対してデータの送受信が可能となる。
【００８０】
図１０は、制御装置４の表示部４２０に表示される試薬の配置状態を示す画面の例示図である。試薬の配置状態を示す画面には、試薬配置表示領域５１０と、操作決定表示領域５２０が含まれている。
【００８１】
試薬配置表示領域５１０の内側（以下、「内側領域」という）には、２８個のＲ１／Ｒ３試薬マーク５１１が円環状に表示され、試薬配置表示領域５１０の外側（以下、「外側領域」という）には、２８個のＲ２試薬マーク５１２が円環状に表示されている。Ｒ１／Ｒ３試薬マーク５１１と、Ｒ２試薬マーク５１２は、それぞれ、内側テーブル１６２の各保持部に保持されているＲ１／Ｒ３試薬容器と、外側テーブル１６３の各保持部に保持されているＲ２試薬容器１２０に対応している。
【００８２】
Ｒ１／Ｒ３試薬マーク５１１は、この保持部の位置を表示する位置表示部５１１ａと、この保持部に保持されているＲ１試薬容器１００のＲＦＩＤタグ１０４の測定項目と残量を表示する内容表示部５１１ｂを含んでいる。同様に、Ｒ２試薬マーク５１２は、この保持部の位置を表示する位置表示部５１２ａと、この保持部に保持されているＲ２試薬容器１１０のＲＦＩＤタグ１１４の測定項目と残量を表示する内容表示部５１２ｂを含んでいる。
【００８３】
ＲＦＩＤタグ１０４、１１４の読み取り結果に基づいて、測定に問題なく使用可能であると判断されると、この試薬容器の保持部に対応するＲ１／Ｒ３試薬マーク５１１とＲ２試薬マーク５１２が、例えば、内側領域の保持位置（２）と外側領域の保持位置（１７）に示す如く表示される。ＲＦＩＤタグ１０４、１１４の読み取り結果に基づいて、ペアとして使用される試薬容器がないと判断されると、内側領域の保持位置（１５）と外側領域の保持位置（１）に示す如く、この試薬容器の保持部に対応するＲ１／Ｒ３試薬マーク５１１とＲ２試薬マーク５１２が太線で囲まれる。
【００８４】
この他、発光センサ部２１１と受光センサ部２１２に基づいて、試薬容器がセットされていないと判断されると、この保持部に対応する内容表示部が空欄となる。また、ＲＦＩＤタグ１０４、１１４の読み取り結果に基づいて、試薬容器の残量が少ないと判断されると、内側領域の保持位置（１８）と外側領域の保持位置（５）に示す如く、この保持部に対応する内容表示部が狭間隔の斜線で表示される。試薬容器の残量が０、または、使用期限が切れていると判断されると、内側領域の保持位置（２２）と外側領域の保持位置（９）に示す如く、この保持部に対応する内容表示部が広間隔の斜線で表示される。ＲＦＩＤタグ１０４、１１４が読み取りエラーのため使用できない場合、内側領域の保持位置（２６）と外側領域の保持位置（１３）に示す如く、この保持部に対応する内容表示部が格子で表示され、内容表示部に“エラー”が表示される。
【００８５】
操作決定表示領域５２０には、測定開始ボタン５２１と測定中断ボタン５２２が含まれている。測定開始ボタン５２１が押下されると測定が開始され、測定中断ボタン５２２が押下されると測定が中断される。
【００８６】
図１１は、内側テーブル１６２と外側テーブル１６３の測定準備動作を示すフローチャートである。内側テーブル１６２と外側テーブル１６３の測定準備動作は、図１０の測定開始ボタン５２１が押下されると、並行して実行される。なお、以下では、内側テーブル１６２の測定準備動作についてのみ説明するが、外側テーブル１６３の測定準備動作も同様に行われる。
【００８７】
測定機構部２のＣＰＵ２０１は、測定開始ボタン５２１が押下されたことにより制御装置４から測定準備動作の指示を受信すると、第１ステッピングモータ１６２ａを駆動して、内側テーブル１６２を初期位置に回転させる（Ｓ１１）。これにより、内側テーブル１６２の回転位置が原点に合わせられ、以降の回転位置が適正に合わせられる。続いて、ＣＰＵ２０１は、内側テーブル１６２を回転させて、各保持部にＲ１／Ｒ３試薬容器が保持されているかをチェックする（Ｓ１２）。かかるチェックの際には、上述したように、発光部１６４ａと受光部１６４ｂが用いられる。
【００８８】
次に、ＣＰＵ２０１は、内側テーブル１６２を回転させて、Ｒ１／Ｒ３試薬容器を読み書き位置１６２ｄに移動させる（Ｓ１３）。続いて、ＣＰＵ２０１は、アンテナ１６２ｂにより、Ｒ１試薬容器１００に貼付されたＲＦＩＤタグ１０４から試薬管理情報を読み出し（Ｓ１４）、読み出した試薬管理情報を保持部と関連付けて、測定機構部２のＲＡＭ２０３に記憶する（Ｓ１５）。
【００８９】
続いて、ＣＰＵ２０１は、内側テーブル１６２上の全てのＲ１／Ｒ３試薬容器について、試薬管理情報の読み出しが完了したかを判定する（Ｓ１６）。全ての試薬管理情報の読み出しが完了すると（Ｓ１６：ＹＥＳ）、処理がＳ１７に進められ、全ての試薬管理情報の読み出しが完了していないと（Ｓ１６：ＮＯ）、処理がＳ１３に戻されて次の保持部に保持されたＲ１／Ｒ３試薬容器について同様の処理を行う。
【００９０】
続いて、ＣＰＵ２０１は、外側テーブル１６３上の全てのＲ２試薬容器１１０について、試薬管理情報の読み出しが完了するまで、処理を待機させる（Ｓ１７）。外側テーブル１６３上の全てのＲ２試薬容器１１０について、試薬管理情報の読み出しが完了すると、外側テーブル１６３上の全てのＲ２試薬容器１１０の試薬管理情報が、測定機構部２のＲＡＭ２０３に記憶されたことになる。
【００９１】
次に、ＣＰＵ２０１は、内側テーブル１６２を回転させて、Ｒ１／Ｒ３試薬容器を読み書き位置１６２ｄに移動させる（Ｓ１８）。ＣＰＵ２０１は、読み書き位置１６２ｄに位置付けられたＲ１／Ｒ３試薬容器が、初めて設置された試薬容器であるかを判定する（Ｓ１９）。すなわち、ＣＰＵ２０１は、ＲＡＭ２０３に記憶している試薬管理情報に基づき、このＲ１／Ｒ３試薬容器のペア情報の項目に特定情報があるかを判定する。ペア情報の項目に特定情報がなければ、このＲ１／Ｒ３試薬容器は初めて設置された試薬容器であると判定され、ペア情報の項目に特定情報があれば、このＲ１／Ｒ３試薬容器は初めて設置された試薬容器ではないと判定される。
【００９２】
このＲ１／Ｒ３試薬容器が初めて設置された試薬容器であると（Ｓ１９：ＹＥＳ）、ＣＰＵ２０１は、このＲ１／Ｒ３試薬容器とペアとなり得るＲ２試薬容器１１０が外側テーブル１６３上にあるかを判定する（Ｓ２０）。すなわち、ＣＰＵ２０１は、ＲＡＭ２０３に記憶している試薬管理情報に基づき、このＲ１／Ｒ３試薬容器の測定項目と同じ測定項目を有し、且つ、初めて設置された（ペア情報として特定情報がない）Ｒ２試薬容器１１
０が、外側テーブル１６３上にあるかを判定する。
【００９３】
ペアとなり得るＲ２試薬容器１１０が外側テーブル１６３上にあると（Ｓ２０：ＹＥＳ）、ＣＰＵ２０１は、このＲ１／Ｒ３試薬容器のペア情報に、ペアとなり得るＲ２試薬容器１１０の特定情報を書き込む（Ｓ２１）。他方、ペアとなり得るＲ２試薬容器１１０が外側テーブル１６３上にないと（Ｓ２０：ＮＯ）、ＣＰＵ２０１は、このＲ１／Ｒ３試薬容器にペアがないことをＲＡＭ２０３に記憶する（Ｓ２３）。
【００９４】
他方、このＲ１／Ｒ３試薬容器が初めて設置された試薬容器でないと（Ｓ１９：ＮＯ）、ＣＰＵ２０１は、このＲ１／Ｒ３試薬容器とペアであるＲ２試薬容器１１０が外側テーブル１６３上にあるかを判定する（Ｓ２２）。すなわち、ＣＰＵ２０１は、ＲＡＭ２０３に記憶している試薬管理情報に基づき、このＲ１／Ｒ３試薬容器のペア情報に書かれている特定情報と一致するＲ２試薬容器１１０が、外側テーブル１６３上にあるかを判定する。
【００９５】
ペアであるＲ２試薬容器１１０が外側テーブル１６３上にあると（Ｓ２２：ＹＥＳ）、処理がＳ２４に進められ、ペアであるＲ２試薬容器１１０が外側テーブル１６３上にないと（Ｓ２２：ＮＯ）、ＣＰＵ２０１は、このＲ１／Ｒ３試薬容器にペアがないことをＲＡＭ２０３に記憶する（Ｓ２３）。
【００９６】
次に、Ｓ２４において、ＣＰＵ２０１は、内側テーブル１６２に保持されている全てのＲ１／Ｒ３試薬容器について、Ｓ１８〜Ｓ２３の処理が完了したかを判定する。ＣＰＵ２０１は、全てのＲ１／Ｒ３試薬容器についてＳ１８〜Ｓ２３の処理が完了するまでＳ１８〜Ｓ２３の処理を実行する。全てのＲ１／Ｒ３試薬容器についてＳ１８〜Ｓ２３の処理が完了すると（Ｓ２４：ＹＥＳ）、内側テーブル１６２の測定準備動作が終了する。
【００９７】
なお、内側テーブル１６２の測定準備動作が終了すると、ＣＰＵ２０１は、ＲＡＭ２０３に記憶している試薬管理情報と、Ｓ２３の処理が実行された場合に記憶される情報とを、通信インターフェース２０４を介して制御装置４に送信する。制御装置４のＣＰＵ４０１は、受信した情報に基づいて、図１０に示すような試薬の配置状態を示す画面を表示部３２０に表示する。この場合に、Ｓ２３の処理が実行された試薬容器の試薬マークは、上述したように太線で囲まれる。また、内容表示部５１１、５１２に表示される試薬の残量には、この試薬容器が初めて設置された試薬容器である場合、試薬管理情報の充填量が表示され、この試薬容器が初めて設置された試薬容器でない場合は、試薬管理情報の残量が表示される。
【００９８】
以上、本実施の形態によれば、Ｒ１／Ｒ３試薬容器が内側テーブル１６２に初めて設置された場合に、ペアとなり得るＲ２試薬容器１１０が外側テーブル１６３上にあれば、このＲ２試薬容器１１０のＲＦＩＤタグ１１４の特定情報が、Ｒ１／Ｒ３試薬容器のＲＦＩＤタグ１０４のペア情報に書き込まれる。また、Ｒ２試薬容器１１０が外側テーブル１６３に初めて設置された場合に、ペアとなり得るＲ１／Ｒ３試薬容器が内側テーブル１６２上にあれば、このＲ１／Ｒ３試薬容器のＲＦＩＤタグ１０４の特定情報が、Ｒ２試薬容器１１０のＲＦＩＤタグ１１４のペア情報に書き込まれる。このように、これらの試薬容器のＲＦＩＤタグにペアとなる試薬容器の特定情報が書き込まれているため、Ｒ１／Ｒ３試薬容器とＲ２試薬容器１１０が別の試料分析装置にセットされた場合でも、ペアとなる試薬容器が明確に判断され得る。
【００９９】
また、このように、ＲＦＩＤタグからの情報をもとに、ペアとなる試薬容器が判別されるため、所定の測定項目に対して、ペアでない試薬同士が誤って使用されることを防ぐことができる。すなわち、ペアとなる一方の試薬容器の試薬が誤って使用されると、その後
、適正なペアの試薬容器の試薬が使用されたとしても、誤って使用された方の試薬が先になくなってしまう。このため、まだ残っている試薬を破棄せざるを得なくなる。本実施の形態によれば、上記のようにペアでない試薬同士が誤って使用されることがないため、ペアとなる試薬の一方が先になくなってしまうことを避けることができる。このため、まだ残っている試薬を無駄に廃棄するような事態を避けることができ、資源の無駄を防止することができる。
【０１００】
以上、本発明の実施の形態について説明したが、本発明の実施の形態はこれらに限定されるものではない。
【０１０１】
たとえば、上記実施の形態では、測定対象として血液を例示したが、尿についても測定対象とされ得る。すなわち、尿を検査とする試料分析装置にも本発明を適用することができ、さらに、他の臨床検体を検査する臨床検体検査装置に本発明を適用することもできる。
【０１０２】
また、上記実施の形態では、Ｓ２０において、Ｒ１／Ｒ３試薬容器の測定項目と同じ測定項目を有し、且つ、初めて設置された（ペア情報として特定情報がない）Ｒ２試薬容器１１０が、外側テーブル１６３上にあるかを判定する。しかし、これに限らず、Ｒ１／Ｒ３試薬容器の測定項目およびロット番号と同じ測定項目およびロット番号を有し、且つ、初めて設置された（ペア情報として特定情報がない）Ｒ２試薬容器１１０が、外側テーブル１６３上にあるかを判定してもよい。
【０１０３】
また、上記実施の形態では、試薬管理情報が非接触型ＩＣタグ（ＲＦＩＤタグ）に記憶され、電波を介した無線通信によって情報が読み書きされている。しかし、これに限らず、試薬管理情報が接触型ＩＣタグに記憶され、リーダ／ライタ端子を介した有線通信によって情報が読み書きされてもよい。
【０１０４】
また、上記実施の形態では、ペア情報には、ペアとなる試薬容器の測定項目と、ロット番号と、シリアル番号が書き込まれたが、これに限らず、図１２（ａ）に示すように、ペアとなる試薬容器のシリアル番号だけであっても良い。すなわち、シリアル番号は、上述したように、測定項目とロット番号の範囲内で、一意に試薬容器を識別可能な番号であり、ペアとなる試薬容器は、測定項目とロット番号が同じである。このため、試薬容器のペア情報に特定情報としてシリアル番号が書き込まれれば、この試薬容器の読み込み専用領域から得られる測定項目およびロット番号と、書き込み可能領域に書き込まれたペア情報のシリアル番号から、ペアとなる試薬容器を上記実施の形態と同様に、一意に特定することが可能となる。
【０１０５】
また、ペア情報に書き込まれるのは、図１２（ｂ）に示すように、ペアとなる試薬容器のＲＦＩＤタグのユニークＩＤ領域に保持されたユニークＩＤであっても良い。ユニークＩＤは、上述したように、ＲＦＩＤタグを個別に識別可能となるＩＤである。このため、試薬容器のペア情報に特定情報としてユニークＩＤが書き込まれれば、ペアとなる試薬容器を上記実施の形態と同様に、一意に特定することが可能となる。
【０１０６】
また、ペア情報は、上書き禁止の情報として書き込み可能領域に記憶されてよい。このようにすることで、新規のペア情報がＲＦＩＤタグに上書きされて、新たなペアが作られるおそれがない。
【０１０７】
この他、本発明の実施の形態は、特許請求の範囲に示された技術的思想の範囲内において、適宜、種々の変更が可能である。
【符号の説明】
【０１０８】
１  …  試料分析装置
１００  …  Ｒ１試薬容器（第１試薬容器）
１０４  …  ＲＦＩＤタグ（第１記憶媒体）
１１０  …  Ｒ２試薬容器（第２試薬容器）
１１４  …  ＲＦＩＤタグ（第２記憶媒体）
１２０  …  Ｒ３試薬容器（第１試薬容器）
１６２  …  内側テーブル（試薬容器保持部）
１６２ｂ  …  アンテナ（無線通信部）
１６３  …  外側テーブル（試薬容器保持部）
１６３ｂ  …  アンテナ（無線通信部）
２０１  …  ＣＰＵ（制御部）
【図１】
0005430452.tif 000002
【図２】
0005430452.tif 000003
【図３】
0005430452.tif 000004
【図４】
0005430452.tif 000005
【図５】
0005430452.tif 000006
【図６】
0005430452.tif 000007
【図７】
0005430452.tif 000008
【図８】
0005430452.tif 000009
【図９】
0005430452.tif 000010
【図１０】
0005430452.tif 000011
【図１１】
0005430452.tif 000012
【図１２】
0005430452.tif 000013